(57)【要約】【課題】用具の劣化状態をより正確に示すことが可能な劣化情報を生成できる情報生成装置、情報生成システム、情報生成方法及び情報生成プログラムを提供すること。【解決手段】ユーザーが使用する用具の使用状況を示す使用情報、及び、用具の保管状況を示す保管情報を取得する情報取得部と、使用情報及び保管情報を用いて、用具の劣化状態を示す劣化情報を生成する劣化情報生成部と、を備える情報生成装置。【選択図】図８
2017093652.tif 000002
【特許請求の範囲】
【請求項１】
ユーザーが使用する用具の使用状況を示す使用情報、及び、前記用具の保管状況を示す保管情報を取得する情報取得部と、
前記使用情報及び前記保管情報を用いて、前記用具の劣化状態を示す劣化情報を生成する情報生成部と、を備えることを特徴とする情報生成装置。
【請求項２】
請求項１に記載の情報生成装置において、
前記情報生成部は、前記使用情報に基づく前記用具の使用期間における劣化度である使用時劣化度と、前記保管情報に基づく前記用具の保管期間における劣化度である保管時劣化度とを用いて、前記劣化情報を生成することを特徴とする情報生成装置。
【請求項３】
請求項１又は請求項２に記載の情報生成装置において、
前記使用情報は、
前記用具を用いた前記ユーザーの運動状態を示す運動情報と、
前記ユーザーの身体の性質を示す個人情報と、
前記用具の使用環境を示す使用時環境情報と、
前記用具の使用時の前記ユーザーの生体情報と、の少なくともいずれかを含むことを特徴とする情報生成装置。
【請求項４】
請求項１から請求項３のいずれか一項に記載の情報生成装置において、
前記保管情報は、
前記用具を保管する保管場所と、
前記保管場所での前記用具の紫外線被ばく量と、
前記保管場所での前記用具の紫外線被ばく時間と、
前記保管場所の温度と、
前記保管場所の湿度と、
前記用具の製造時からの経過時間と、
前記用具の購入時からの経過時間と、の少なくともいずれかを含むことを特徴とする情報生成装置。
【請求項５】
請求項１から請求項４のいずれか一項に記載の情報生成装置において、
前記劣化情報を報知する報知部を備えることを特徴とする情報生成装置。
【請求項６】
請求項５に記載の情報生成装置において、
前記報知部は、画像、音、光及び振動の少なくともいずれかによって前記劣化情報を報知することを特徴とする情報生成装置。
【請求項７】
請求項６に記載の情報生成装置において、
前記報知部は、前記用具の劣化状態を示す劣化状態画面を表示することにより、前記劣化情報を報知することを特徴とする情報生成装置。
【請求項８】
請求項７に記載の情報生成装置において、
前記劣化状態画面は、前記用具の劣化状態を示す画像、グラフ及びメッセージの少なくともいずれかを含むことを特徴とする情報生成装置。
【請求項９】
請求項５から請求項８のいずれか一項に記載の情報生成装置において、
前記報知部は、前記劣化情報により示される前記用具の劣化状態が所定の状態となった場合に、前記劣化情報を報知することを特徴とする情報生成装置。
【請求項１０】
請求項１から請求項９のいずれか一項に記載の情報生成装置において、
前記劣化情報は、前記用具が使用限界に達したと判定される場合には、前記用具の使用の変更を促す情報を含むことを特徴とする情報生成装置。
【請求項１１】
請求項１から請求項１０のいずれか一項に記載の情報生成装置において、
前記用具の劣化状態、前記用具を最後に使用してからの経過時間、及び、前記用具の直近の使用状況の少なくともいずれかが所定の条件を満たす場合には、前記用具のメンテナンスを促すメンテナンス報知部を有することを特徴とする情報生成装置。
【請求項１２】
請求項１から請求項１１のいずれか一項に記載の情報生成装置と、
前記用具の使用状況に基づく前記使用情報を前記情報生成装置に送信する検出装置と、を備えることを特徴とする情報生成システム。
【請求項１３】
情報処理装置を用いて実行され、ユーザーによって使用される用具の劣化状態を示す劣化情報を生成する情報生成方法であって、
前記用具の使用状況を示す使用情報、及び、前記用具の保管状況を示す保管情報を取得する情報取得ステップと、
前記使用情報及び前記保管情報に基づいて推定される前記用具の劣化状態を示す劣化情報を生成する情報生成ステップと、を含むことを特徴とする情報生成方法。
【請求項１４】
情報処理装置により実行され、当該情報処理装置により、ユーザーによって使用される用具の劣化状態を示す劣化情報を生成する情報生成プログラムであって、
前記情報処理装置に、
前記用具の使用状況を示す使用情報、及び、前記用具の保管状況を示す保管情報を取得する情報取得ステップと、
前記使用情報及び前記保管情報に基づいて推定される前記用具の劣化状態を示す劣化情報を生成する情報生成ステップと、を実行させることを特徴とする情報生成プログラム。
【発明の詳細な説明】
【技術分野】
【０００１】
本発明は、情報生成装置、情報生成システム、情報生成方法及び情報生成プログラムに関する。
【背景技術】
【０００２】
従来、ランニングで使用されるシューズの消耗度を算出する電子機器が知られている（例えば、特許文献１参照）。
この特許文献１に記載の電子機器は、シューズの使用回数としてユーザーの走行時の歩数を計測し、当該歩数をシューズの消耗度に変換する。この際、シューズにかかる負荷は、体重や走行スピードによって異なることから、これらもシューズの消耗度を算出するためのパラメーターとなる。
そして、電子機器は、変換した消耗度に基づいて、シューズの緩衝性（衝撃吸収性であり、特にミッドソールの緩衝力）を算出して表示する。このような表示として、色によって緩衝性及び消耗度を示すバーが挙げられる。
【０００３】
なお、上記電子機器は、消耗度の累積値が所定の閾値以上である場合、ユーザーの使用しているシューズの緩衝性が限界であり、シューズの買い替え時期であることを示す警告マークやメッセージを表示したり、警告音を出力したりする。これにより、ユーザーは、その内容を知ることができる。
【先行技術文献】
【特許文献】
【０００４】
【特許文献１】特開２０１４−４６０８８号公報
【発明の概要】
【発明が解決しようとする課題】
【０００５】
ここで、登山靴やスキー靴のように使用頻度が極めて低い運動用具では、使用時の消耗度が低くても、保管中の経年劣化により実際の消耗度が大きくなり、使用時又は使用前に破損する可能性がある。
しかしながら、上記特許文献１に記載の電子機器では、シューズの消耗度の累積値は、当該シューズを使用した時、すなわち、当該シューズを用いて走った歩数や負荷に基づいて加算される。従って、当該特許文献１に記載の電子機器は、シューズの経年劣化や使用環境を考慮していない。
このため、より正確な劣化状態を示す劣化情報を生成可能な構成が要望されてきた。
また、運動用具をより長く、より安全に利用するために、運動用具の状態や、メンテナンス実施時期及びメンテナンス方法などを、必要な時に提供したり、運動用具の代替製品情報を使用状況に応じて提案したりすることが可能なサービスが要望されていた。
【０００６】
本発明は、上記課題の少なくとも一部を解決することを目的としたものであり、用具の劣化状態をより正確に示すことが可能な劣化情報を生成できる情報生成装置、情報生成システム、情報生成方法及び情報生成プログラムを提供することを目的の１つとする。
【課題を解決するための手段】
【０００７】
本発明の第１態様に係る情報生成装置は、ユーザーが使用する用具の使用状況を示す使用情報、及び、前記用具の保管状況を示す保管情報を取得する情報取得部と、前記使用情報及び前記保管情報を用いて、前記用具の劣化状態を示す劣化情報を生成する情報生成部と、を備えることを特徴とする。
【０００８】
なお、使用状況及び保管状況は、その時々の用具及び環境の状態や、当該状態の変化を示す。
上記第１態様によれば、ユーザーにより使用される用具の劣化状態を示す劣化情報は、当該用具の使用状況を示す使用情報だけでなく、当該用具の保管状況を示す保管情報を用いて生成される。これによれば、保管状況に応じて劣化度が変化する経年劣化を踏まえた、劣化情報を生成できる。従って、用具の劣化状態を精度よく推定できるので、上記特許文献１に記載の電子機器に比べて、当該用具の劣化状態をより正確に示すことが可能な劣化情報を生成できる。また、当該劣化情報を確認することにより、ユーザー等が正確な用具の劣化状態や消耗度を把握できる。
【０００９】
上記第１態様では、前記情報生成部は、前記使用情報に基づく前記用具の使用期間における劣化度である使用時劣化度と、前記保管情報に基づく前記用具の保管期間における劣化度である保管時劣化度とを用いて、前記劣化情報を生成することが好ましい。
なお、保管期間は、使用期間以外の期間とすることができる。
ここで、用具の保管時に発生する経年変化による劣化は、使用時にかかる負荷によって用具に発生する劣化とは異なる。このような保管時劣化度と使用時劣化度とを用いて、用具の劣化状態を示す劣化情報が生成されるので、当該劣化情報により示される劣化状態の精度を高めることができる。従って、より正確な劣化情報を生成できる。
【００１０】
上記第１態様では、前記使用情報は、前記用具を用いた前記ユーザーの運動状態を示す運動情報と、前記ユーザーの身体の性質を示す個人情報と、前記用具の使用環境を示す使用時環境情報と、前記用具の使用時の前記ユーザーの生体情報と、の少なくともいずれかを含むことが好ましい。
ここで、用具の使用時の劣化状態は、当該用具を用いたユーザーの運動状態（使用状況）、体重や筋力等のユーザーの身体の性質、使用環境、及び、発汗量や体温等のユーザーの生体情報によっても変化する。このため、上記運動情報、上記個人情報、上記使用時環境情報及び上記生体情報のうち少なくともいずれかを含む使用情報を用いることにより、用具の使用時の劣化状態をより正確に把握できる。従って、生成される劣化情報により示される用具の劣化状態を、実際の劣化状態に近い状態とすることができる。
【００１１】
上記第１態様では、前記保管情報は、前記用具を保管する保管場所と、前記保管場所での前記用具の紫外線被ばく量と、前記保管場所での前記用具の紫外線被ばく時間と、前記保管場所の温度と、前記保管場所の湿度と、前記用具の製造時からの経過時間と、前記用具の購入時からの経過時間と、の少なくともいずれかを含むことが好ましい。
ここで、用具の保管時の劣化状態は、当該用具の保管場所や、当該保管場所での紫外線被ばく量及び紫外線被ばく時間の他、当該保管場所の温度及び湿度によっても変化する。更に、当該劣化状態は、用具の製造時からの経過時間、及び、購入時からの経過時間によって異なる。例えば、保管場所が高温多湿な場所では、劣化が進む用具もある他、紫外線被ばく量が多かったり、紫外線被ばく時間が長かったりすると、一般的に用具の劣化は進む。更に、経年劣化は、上記経過時間が長いほど大きくなる。このため、これらのパラメーターのうちの少なくともいずれかを含む保管情報を用いることにより、保管時の用具の劣化状態をより正確に把握できる。従って、より正確な用具の劣化状態を示す劣化情報を生成できる。
【００１２】
上記第１態様では、前記劣化情報を報知する報知部を備えることが好ましい。
このような構成によれば、情報生成装置にてユーザーが劣化情報を把握可能となるので、必要に応じてメンテナンスをすることにより、用具の寿命を延ばすことができる。また、現在所持している用具の劣化状態に応じて用具を買い替えることができるので、使用しようとした用具が劣化していて使用できないという状況を回避できる。
【００１３】
上記第１態様では、前記報知部は、画像、音、光及び振動の少なくともいずれかによって前記劣化情報を報知することが好ましい。
なお、上記画像及び上記音としては、劣化情報を含む画像及び音声を例示でき、上記振動としては、用具の劣化状態に応じて大きさや発生間隔が異なる振動を例示できる。また、光による劣化情報の報知は、ＬＥＤ（Light Emitting Diode）等の点灯及び点滅を例示できる。
このような構成によれば、報知される劣化情報の内容をユーザーが把握しやすくすることができる。また、光や振動によって報知される場合には、画像や音が報知される場合に比べて、伝達可能な情報量は少ないが、例えば緊急を要する場合に、劣化情報をユーザーに迅速に気付かせることができる。
【００１４】
上記第１態様では、前記報知部は、前記用具の劣化状態を示す劣化状態画面を表示することにより、前記劣化情報を報知することが好ましい。
このような構成によれば、劣化情報が劣化状態画面に表示されることにより、ユーザーに提示される情報量を多くすることができる。従って、短時間で多くの劣化情報をユーザーに提示できる。
【００１５】
上記第１態様では、前記劣化状態画面は、前記用具の劣化状態を示す画像、グラフ及びメッセージの少なくともいずれかを含むことが好ましい。
このような構成によれば、ユーザーが視覚的に用具の劣化状態を迅速に把握できる。従って、情報生成装置の利便性を向上させることができる。
【００１６】
上記第１態様では、前記報知部は、前記劣化情報により示される前記用具の劣化状態が所定の状態となった場合に、前記劣化情報を報知することが好ましい。
なお、所定の状態としては、用具が破損しそうな状態や、破損した状態を例示できる。
このような構成によれば、劣化情報が頻繁に報知されることを抑制できる他、ユーザーに注意を喚起したい場合に劣化情報が報知されるので、当該劣化情報にユーザーの注意を向けさせることができる。従って、ユーザーが用具の劣化状態を把握しやすくすることができる。
【００１７】
上記第１態様では、前記劣化情報は、前記用具が使用限界に達したと判定される場合には、前記用具の使用の変更を促す情報を含むことが好ましい。
ここで、例えば、登山計画が必要な登山に、上記用具として登山靴が使用される場合、劣化による登山靴の破損は、ユーザーに大きな負荷を強いる。
これに対し、登山靴等の用具が使用限界に達したと判定される場合に、使用の変更を促す情報をユーザーが把握できれば、ユーザーが当該用具を使用しないで済むように予定を変更することにより、当該ユーザーが被る可能性のある負荷を軽減させることも可能となる。そして、このような構成により、情報生成装置の利便性を向上させることができる。
【００１８】
上記第１態様では、前記用具の劣化状態、前記用具を最後に使用してからの経過時間、及び、前記用具の直近の使用状況の少なくともいずれかが所定の条件を満たす場合には、前記用具のメンテナンスを促すメンテナンス報知部を有することが好ましい。
このような構成によれば、ユーザーに用具のメンテナンスを実施する契機を与えることができるので、情報生成装置の利便性を更に向上させることができる。この他、実際にメンテナンスが実施されれば、用具の寿命を延ばすことができる。
【００１９】
本発明の第２態様に係る情報生成システムは、上記情報生成装置と、前記用具の使用状況に基づく前記使用情報を前記情報生成装置に送信する検出装置と、を備えることを特徴とする。
上記第２態様によれば、上記第１態様に係る情報生成装置と同様の効果を奏することができる。
【００２０】
本発明の第３態様に係る情報生成方法は、情報処理装置を用いて実行され、ユーザーによって使用される用具の劣化状態を示す劣化情報を生成する情報生成方法であって、前記用具の使用状況を示す使用情報、及び、前記用具の保管状況を示す保管情報を取得する情報取得ステップと、前記使用情報及び前記保管情報に基づいて推定される前記用具の劣化状態を示す劣化情報を生成する情報生成ステップと、を含むことを特徴とする。
上記第３態様によれば、情報処理装置が当該情報生成方法を実施することにより、上記第１態様に係る情報生成装置と同様の効果を奏することができる。
【００２１】
本発明の第４態様に係る情報生成プログラムは、情報処理装置により実行され、当該情報処理装置により、ユーザーによって使用される用具の劣化状態を示す劣化情報を生成する情報生成プログラムであって、前記情報処理装置に、前記用具の使用状況を示す使用情報、及び、前記用具の保管状況を示す保管情報を取得する情報取得ステップと、前記使用情報及び前記保管情報に基づいて推定される前記用具の劣化状態を示す劣化情報を生成する情報生成ステップと、を実行させることを特徴とする。
上記第４態様によれば、当該情報生成プログラムを情報処理装置が実行することにより、当該情報処理装置は、上記第１態様に係る情報生成装置と同様の効果を奏することができる。
【００２２】
なお、このような情報生成プログラムは、コンピューター読取可能に記録媒体に記録されていてもよい。このような記録媒体から、情報処理装置が当該情報生成プログラムを読み取って実行することにより、当該情報処理装置は、上記第１態様に係る情報生成装置と同様の効果を奏することが可能となる。このような記録媒体としては、磁気テープ、磁気ディスク、光ディスク、光磁気ディスク、ＨＤＤ（Hard Disk Drive）及び半導体メモリー等を例示でき、これらを利用して、情報生成プログラムを情報処理装置にて実行できる。この他、当該情報生成プログラムは、ネットワークを介して提供されてもよい。
【図面の簡単な説明】
【００２３】
【図１】本発明の一実施形態に係る劣化情報生成システムの構成を示す模式図。
【図２】上記実施形態における運動用具を示す模式図。
【図３】上記実施形態における検出装置の構成を示すブロック図。
【図４】上記実施形態における測定装置の構成を示すブロック図。
【図５】上記実施形態における測定装置の制御部の構成を示すブロック図。
【図６】上記実施形態におけるサーバーの構成を示すブロック図。
【図７】上記実施形態における情報処理装置の構成を示すブロック図。
【図８】上記実施形態における情報処理装置の制御部の構成を示すブロック図。
【図９】上記実施形態における個人情報登録画面の一例を示す図。
【図１０】上記実施形態における用具情報登録画面の一例を示す図。
【図１１】上記実施形態における使用時情報登録画面の一例を示す図。
【図１２】上記実施形態における使用時劣化度の変化の一例を示すグラフ。
【図１３】上記実施形態における保管時劣化関数の劣化曲線を示すグラフ。
【図１４】上記実施形態における累積劣化度の時間変化を示すグラフ。
【図１５】上記実施形態における注意レベルでの劣化状態画面の一例を示す図。
【図１６】上記実施形態における警告レベルでの劣化状態画面の一例を示す図。
【図１７】上記実施形態における使用中止レベルでの劣化状態画面の一例を示す図。
【図１８】上記実施形態における劣化情報生成処理を示すフローチャート。
【発明を実施するための形態】
【００２４】
以下、本発明の一実施形態について、図面に基づいて説明する。
［劣化情報生成システムの概略構成］
図１は、本実施形態に係る劣化情報生成システム１の構成を示す模式図である。
本実施形態に係る劣化情報生成システム１は、本発明の情報生成システムを含むシステムである。この劣化情報生成システム１は、図１に示すように、ユーザーにより利用される運動用具２と、ユーザーに装着される測定装置３と、ネットワークＮＷ上に位置するサーバー４と、これら運動用具２、測定装置３及びサーバー４と通信可能な情報処理装置５と、を備えて構成され、当該運動用具２の劣化状態を示す劣化情報を生成するシステムである。
なお、本実施形態では、運動用具２として登山靴が採用されている。しかしながら、運動用具２は、登山靴に限らず、スキー靴、ランニングシューズ、スケート靴等のスポーツに用いられる靴の他、ラケット、バット、ゴルフクラブ、スキー板及びスノーボード等の道具、更には、鉄棒、遊具及び体育道具（例えば、ハードル、跳び箱、踏切板、マット、ボールの他、バスケットボール、サッカー及びハンドボール等のゴール）等の設備としてもよい。
【００２５】
具体的に、劣化情報生成システム１では、情報処理装置５が、運動用具２に関する用具情報と、運動用具２の使用状況を示す使用情報と、所定の保管場所における当該運動用具２の保管状況を示す保管情報と、を取得する。そして、情報処理装置５は、これら情報に基づいて運動用具の劣化状態を推定し、当該劣化状態を示す劣化情報を生成する。この劣化情報は、ユーザーの所望のタイミングで当該ユーザーに提示される他、運動用具２の劣化状態が所定の状態に達したと判定される場合に、対処法とともにユーザーに提示されたり、メンテナンスを促すメッセージを含んでユーザーに提示されたりする。このような機能を劣化情報生成システム１は特徴の１つとして有する。
なお、使用状況及び保管状況は、その時々の用具及び環境の状態や、当該状態の変化を示す。また、劣化状態は、消耗度ということもできる。
【００２６】
［各情報の内容］
用具情報は、劣化情報の生成対象となる運動用具２を特定するための情報であり、当該運動用具２の種別、商品名、品番、製造番号及びロット番号が挙げられる。
劣化情報を生成する際に用いられる使用情報は、上記のように、ユーザーによって運動用具２が使用されている使用期間の間に増加する当該運動用具２の劣化度（使用時劣化度）を算出するための情報である。この使用情報は、運動情報、個人情報、使用時環境情報及び生体情報を含む。
【００２７】
［運動情報］
運動情報は、上記運動用具２を使用した使用期間内でのユーザーの運動状態を示す情報であり、例えば、運動時間、運動回数、移動距離、加速度、衝撃の大きさ、及び、移動速度等が挙げられる。
例えば運動用具２が靴である場合には、当該靴の劣化は、運動時間及び移動距離の長さ、運動回数の多さ、並びに、運動用具２に加わる加速度及び衝撃の大きさに比例して進む。また、当該靴の劣化は、歩行及び走行のそれぞれの速度に比例して進む。
【００２８】
［個人情報］
個人情報は、ユーザーの身体の性質を示す情報であり、例えば、身長、体重、年齢、性別、利き側（利き手及び利き足等）、筋力レベル及び体型等が挙げられる。
例えば運動用具２が靴である場合には、身長及び筋力の大きさによって歩行時及び走行時の加速度が変化するため、当該靴の劣化は、身長及び筋力の大きさに比例して進む。また、体重が大きくなるほど靴に加わる衝撃が大きくなるため、当該靴の劣化は、体重の大きさに比例して進む。一方、一般的に或る年齢を境に筋力は低下する他、女性に比べて男性は筋力が強いため、これら年齢や性別によっても運動用具２の劣化状態は変化する。
筋力レベルは、ユーザーの筋力を数値化したものであり、種々の測定法によって決定される。このような筋力レベルの高低、すなわち、ユーザーの筋肉量が多いか否かによっても、運動用具２の負荷及び劣化は変化する。また、体型は、やせ型等の体型を示すものであり、運動用具２によっては、体型の違いにより劣化状態が変化する。
【００２９】
［使用時環境情報］
使用時環境情報は、上記使用期間において上記運動用具２に作用する環境要因を示す情報であり、例えば、紫外線被ばく量、紫外線被ばく時間、気温、気温差、湿度、当該使用期間の長さ、天候、及び、使用場所が挙げられる。
一般的に、紫外線被ばく量が多いほど、或いは、紫外線被ばく時間が長いほど、紫外線に晒された運動用具２の劣化は進む。更に、上記使用期間の気温、気温差及び湿度は、運動用具２の構成材料に影響を及ぼすことから、これらによっても運動用具２の劣化状態が左右される。更に、試用期間の長さが長いほど運動用具２の劣化は進み、雨や雪に晒される場合も運動用具２の劣化は進む。また、例えば運動用具２が靴である場合には、当該靴が使用される場所（例えば未舗装路や舗装路の他、標高）の違いによっても、当該靴の劣化が変化する。
【００３０】
［生体情報］
生体情報は、上記試用期間におけるユーザーの身体状態を示す情報であり、例えば、体温及び発汗量が挙げられる。
一般的に、体温や発汗量は、上記気温及び湿度が高い場合と同様に、運動用具２の構成材料に影響を及ぼすことから、これら体温が高い場合や発汗量が多い場合には、運動用具２の劣化が進む。
【００３１】
［保管情報］
劣化情報を生成する際に用いられる保管情報は、上記のように、運動用具２が使用されずに保管されている保管期間（使用期間外の期間）の間に、当該運動用具２にて生じる劣化の大きさを算出するための情報である。このような保管情報として、例えば、保管場所と、運動用具の製造日時からの経過時間又は購入日時からの経過時間と、当該保管場所における運動用具２の紫外線被ばく量、紫外線被ばく時間と、当該保管場所における温度、温度差及び湿度と、が挙げられる。
【００３２】
これらのうち、保管場所は、風通しが良い場所や、そうでない場所などの区分であり、具体的には、屋外や、下駄箱、納戸、押入及び物置等の屋内が挙げられる。運動用具２が屋外に野晒しに保管されている場合には、当該運動用具２の劣化が進むためである。
運動用具２の製造日時からの経過時間又は購入日時からの経過時間が長くなるに従って、当該運動用具２の劣化が進むことは言うまでもない。
紫外線被ばく量、紫外線被ばく時間、温度、温度差及び湿度については、上記使用時環境情報にて説明した内容と同様である。
【００３３】
これら用具情報、使用情報及び保管情報に含まれる各種情報は、ユーザーによって入力される入力情報と、運動用具２の検出装置２２及び測定装置３が有する検出部による検出結果に基づく検出情報と、上記サーバー４から取得される取得情報と、に分けられる。
具体的に、入力情報は、上記用具情報と、上記個人情報に含まれるユーザーの身長、体重、性別、利き側、筋力レベル及び体型と、上記使用時環境情報に含まれる使用期間の長さを算出するための使用開始日時及び使用終了日時と、上記保管情報に含まれる経過時間が運動用具２の購入日時からの経過時間である場合の当該購入日時と、を含む。なお、上記個人情報に含まれるユーザーの年齢は、直接入力されてもよく、当該ユーザーにより入力される生年月日から算出されてもよい。
【００３４】
検出情報は、使用情報に含まれる運動情報、使用時環境情報及び生体情報と、保管情報に含まれる紫外線被ばく量、紫外線被ばく時間、温度、温度差及び湿度と、を含む。
取得情報は、使用時環境情報に含まれる使用場所に基づく当該使用場所の路面状態や、保管情報に含まれる経過時間が運動用具の製造日時からの経過時間である場合の当該製造日時を含む。なお、後述する劣化関数（使用時基準劣化関数及び保管時劣化関数）は、サーバー４に記憶されていてもよく、劣化情報を生成する情報生成装置（本実施形態では情報処理装置５）に予め保持されていてもよい。
【００３５】
そして、当該情報生成装置が、これら情報に基づいて、劣化情報の生成対象となる運動用具２の劣化状態を推定し、当該劣化状態を示す劣化情報を生成する。
以下、劣化情報生成システム１の構成について説明するが、当該構成の説明順として、まず運動用具２について説明し、上記劣化情報の生成に用いられる一部の情報を送信する測定装置３及びサーバー４を説明した後、本実施形態において情報生成装置として機能する情報処理装置５を説明する。
【００３６】
［運動用具の構成］
図２は、本実施形態における運動用具２を示す模式図である。また、図３は、運動用具２を構成する検出装置２２の構成を示すブロック図である。
運動用具２は、図２に示すように、用具本体２１及び検出装置２２を備える。
用具本体２１は、本実施形態では登山靴であるが、他の種別の靴や、上記道具及び上記設備であってもよい。
検出装置２２は、上記用具本体２１に作用する環境要因等を検出し、検出結果を情報処理装置５に送信する。この検出装置２２は、粘着シート等によって用具本体２１に着脱可能に設けられるものであり、図３に示すように、検出部２２１、通信部２２２、記憶部２２３及び制御部２２４を有し、これらはバスラインＢＬによって互いに接続されている。
【００３７】
検出部２２１は、用具本体２１に作用する検出対象を検出可能な各種センサーを有する。具体的に、検出部２２１は、温度センサー２２１１、湿度センサー２２１２、気圧センサー２２１３及び照度センサー２２１４を有し、それぞれ、用具本体２１周辺の温度、湿度、気圧及び照度を検出する。なお、照度センサー２２１４は、用具本体２１に照射される光の強度、特に紫外線の強度を検出するものであり、当該照度センサー２２１４として紫外線センサーを採用してもよい。また、検出部２２１は、これらセンサー２２１１〜２２１４に代えて、或いは、加えて、加速度センサー等の動きセンサーや圧力センサーを有する構成としてもよい。この場合、検出部２２１が、運動用具２自体に作用する力や衝撃に関する情報を検出及び測定できる。
通信部２２２は、制御部２２４による制御の下、外部機器と通信する。例えば、通信部２２２は、記憶部２２３に記憶された検出結果を情報処理装置５に送信する。
記憶部２２３は、制御部２２４による制御の下、検出部２２１の各センサー２２１１〜２２１４による検出結果を記憶する。
【００３８】
制御部２２４は、検出装置２２を自律的に制御するものであり、例えばＩＣ（Integrated Circuit）等の処理回路により構成される。この制御部２２４は、例えば、各センサー２２１１〜２２１４に、それぞれの検出対象を所定時間毎に検出させる。また、制御部２２４は、通信部２２２によって情報処理装置５との通信が確立した際に、記憶部２２３に記憶された各センサー２２１１〜２２１４による検出結果を、通信部２２２を介して情報処理装置５に送信する。
これら検出結果のうち、当該運動用具２の使用期間内の検出結果は、上記使用時環境情報に区分され、保管期間内の検出結果は、上記保管情報に区分される。なお、検出部２２１が、上記動きセンサーや圧力センサーを有する場合には、これらセンサーによる検出結果のうち、当該運動用具２の使用期間内の検出結果は、運動情報に区分される。
【００３９】
［測定装置の構成］
図４は、測定装置３の構成を示すブロック図である。
測定装置３は、ユーザーに装着されて利用されるウェアラブル機器である。具体的に、測定装置３は、当該測定装置３を装着したユーザーの生体情報を検出及び測定し、これらの測定結果を情報処理装置５に送信する生体情報測定装置である。また、測定装置３は、情報処理装置５と通信して、当該情報処理装置５から受信される報知情報をユーザーに報知する。このような測定装置３は、図４に示すように、操作部３１、検出部３２、受信部３３、報知部３４、通信部３５、記憶部３６及び制御部３７を有し、これら各部３１〜３７は、バスラインＢＬを介して互いに接続されている。
【００４０】
［操作部の構成］
操作部３１は、測定装置３の外装ケースに配設された複数のボタンを有し、入力（押下）されたボタンに応じた操作信号を制御部３７に出力する。また、操作部３１は、ユーザーのタップ操作を検出して、当該タップ操作に応じた操作信号を制御部３７に出力する。更に操作部３１は、後述する表示部３４１上に配置されるタッチパネルを有し、当該タッチパネルに対するユーザーの操作に応じた操作信号を制御部３７に出力する。なお、このような構成に限らず、ユーザーの操作に応じた操作信号を制御部３７に出力できれば、操作部３１の構成は問わない。
このような操作部３１に対する入力操作により、上記入力情報を入力することも可能であり、この場合には、後述する通信部３５が、入力されて記憶された入力情報を情報処理装置５に送信する。
【００４１】
［検出部の構成］
検出部３２は、ユーザーの生体情報及び体動情報をそれぞれ検出する生体情報検出部３２１及び体動情報検出部３２２を有し、これらによる検出結果を制御部３７に出力する。
生体情報検出部３２１は、本実施形態では、発汗量、体温、単位時間当たりの脈拍数（或いは心拍数）及び単位時間当たりの呼吸数を検出する。そして、生体情報検出部３２１は、これら検出対象の検出結果を制御部３７に出力する。なお、生体情報検出部３２１は、これら全ての生体情報を検出せずともよく、他の生体情報を検出可能な構成としてもよい。
体動情報検出部３２２は、加速度センサー、ジャイロセンサー、圧力センサー及びひずみセンサー等のセンサーを有し、ユーザーの体動に応じた体動情報を検出し、当該体動情報を制御部３７に出力する。
【００４２】
［受信部の構成］
受信部３３は、測定装置３の現在位置を示す位置情報（すなわち、運動用具を使用するユーザーの現在位置を示す位置情報）を取得する。このような受信部３３は、例えばＧＰＳ（Global Positioning System）等の衛星測位システムに対応し、衛星から受信される電波に基づいて上記位置情報を取得するモジュールにより構成できる。なお、受信部３３は、通信用無線電波を用いて位置情報を算出する構成とすることも可能である。
このような受信部３３による位置情報の取得は、所定時間毎に行われるが、受信部３３に位置情報を取得させる指示情報が情報処理装置５から受信された場合に実施されるように構成してもよい。この場合、ユーザーにより入力される運動開始日時から運動終了日時までの間の使用期間内にて情報処理装置５が所定間隔で当該指示情報を送信することにより、当該使用期間内で位置情報が取得されることとなる。このため、常時、位置情報が取得されて電力消費が大きくなることを抑制できる。
なお、情報処理装置５がユーザーにより携帯可能な端末装置であり、当該情報処理装置５が受信部３３と同様の受信部を有する場合には、当該情報処理装置５が位置情報を取得してもよい。このように構成することにより、ユーザーが装着する測定装置３の更なる小型化及び低消費電力化を実現できる。
【００４３】
［報知部の構成］
報知部３４は、制御部３７による制御の下、各種情報を報知する。この報知部３４は、例えば、測定装置３の動作状態や、測定された生体情報、体動情報及び位置情報を報知する。この他、報知部３４は、情報処理装置５から受信された各種情報を報知する。このような報知部３４は、表示部３４１、音声出力部３４２及び振動部３４３を有する。
表示部３４１は、液晶や有機ＥＬ（Electro-Luminescence）等のディスプレイを有し、制御部３７から入力される画像信号に応じた画像を表示する。
音声出力部３４２は、スピーカー等の音声出力手段を有し、制御部３７から入力される音声情報に応じた音声を出力する。
振動部３４３は、制御部３７によって駆動が制御されるモーターを有し、当該モーターの駆動によって生じる振動により、上記情報を報知する。
【００４４】
［通信部の構成］
通信部３５は、情報処理装置５等の外部機器と通信する。この通信部３５は、例えば、制御部３７の制御の下、取得された生体情報、体動情報及び位置情報を情報処理装置５に送信する他、当該情報処理装置５から送信された情報を受信する。
このような通信部３５は、例えばＩＥＥＥ８０２．１５等の近距離無線通信規格に応じた通信方式により、比較的近くに存在する外部機器と通信可能な通信モジュールにより構成できる他、例えばＩＥＥＥ８０２．１６やＬＴＥ（Long Term Evolution）等の通信規格に応じた通信方式により、公衆通信網を利用してインターネット等のネットワーク上に位置する外部機器と通信可能な通信モジュールにより構成できる。本実施形態では、情報処理装置５と通信可能であれば、通信部３５の構成は問わない。
【００４５】
［記憶部の構成］
記憶部３６は、フラッシュメモリー等の不揮発性の半導体メモリーにより構成され、測定装置３の動作に必要なプログラム及びデータを記憶している。例えば、記憶部３６は、取得されたユーザーの生体情報及び体動情報や、測定された位置情報を、これらの検出及び測定日時とともに記憶する。また、記憶部３６は、通信部３５によって情報処理装置５から受信された情報を、当該情報の受信日時とともに記憶する。
【００４６】
［制御部の構成］
図５は、制御部３７の構成を示すブロック図である。
制御部３７は、ＣＰＵ（Central Processing Unit）等の演算処理回路を含み、測定装置３の動作を自律的に、或いは、ユーザーの操作により操作部３１から入力される操作信号に応じて制御する。
このような制御部３７は、図４に示すように、上記演算処理回路が記憶部３６に記憶されたプログラムを実行することで実現される計時部３７１、検出制御部３７２、報知制御部３７３、通信制御部３７４、情報取得部３７５及び情報送信部３７６を有する。
【００４７】
計時部３７１は、現在日時を計時する。
検出制御部３７２は、上記検出部３２の動作を制御する。
報知制御部３７３は、報知部３４の動作を制御する。例えば、報知制御部３７３は、測定装置３の動作状態、検出部３２による検出結果、及び、通信部３５により取得された各種情報（例えば、後述する情報処理装置５から受信される劣化情報等の提示情報）を報知部３４に出力して、当該各情報を報知部３４に報知させる。
通信制御部３７４は、上記通信部３５の動作を制御する。
【００４８】
情報取得部３７５は、操作部３１、検出部３２、受信部３３及び通信部３５から入力される各種信号及び情報を取得する。例えば、情報取得部３７５は、検出部３２から入力される生体情報及び体動情報と、受信部３３から入力される位置情報とを取得する。そして、情報取得部３７５は、これらの情報を、計時部３７１により計時されている現在日時を示す日時情報に関連付けて記憶部３６に記憶させる。また、情報取得部３７５は、通信部３５を介して情報処理装置５から受信される情報を取得して、上記報知部３４に報知させる。
情報送信部３７６は、通信部３５を介して情報処理装置５に、記憶部３６に記憶された情報（生体情報、体動情報及び位置情報）を送信する。この際、情報送信部３７６は、当該情報を定期的に送信してもよく、当該情報を要求する要求情報が情報処理装置５から受信された場合に送信してもよく、予め設定された時刻に当該情報を送信してもよい。
【００４９】
なお、本実施形態では、上記のように、運動用具２の検出装置２２が、用具本体２１に作用する環境要因を検出することとしている。しかしながら、これに限らず、上記検出装置２２が有する各センサー２２１１〜２２１４を測定装置３の検出部３２が有し、当該検出部３２による検出結果を、用具本体２１に作用する環境要因の検出結果として採用して、測定装置３が情報処理装置５に送信する構成としてもよい。
【００５０】
［サーバーの構成］
図６は、サーバー４の構成を示すブロック図である。
サーバー４は、インターネット等のネットワークＮＷ上に位置し、当該ネットワークＮＷを介して情報処理装置５から受信される要求情報に応じた情報を、当該情報処理装置５に送信する。このサーバー４は、図６に示すように、通信部４１、記憶部４２及び制御部４３を備え、これらはバスラインＢＬを介して互いに接続されている。
なお、サーバー４は、これらに加えて、キーボード及びポインティングデバイス等の操作部や、動作画面を表示する表示部等を備えていてもよい。
【００５１】
通信部４１は、制御部４３による制御の下、情報処理装置５等の外部機器との間で、情報を送受信する。
記憶部４２は、サーバー４の動作に必要なＯＳや各種プログラムの他、各種データを記憶している。例えば、記憶部４２は、運動用具２を含む各種用具の製造番号又はロット番号ごとに製造日時を記憶している。また、記憶部４２は、位置情報により示される位置の天候、及び、当該位置の路面状態（舗装路又は未舗装路）を記憶している。
【００５２】
制御部４３は、制御部３７と同様にＣＰＵ等の演算処理回路を有し、当該演算処理回路が記憶部４２に記憶されたプログラムを実行することにより、サーバー４の動作を制御する。この制御部４３は、例えば、通信部４１を介して上記情報処理装置５から検索条件が受信された場合には、記憶部４２に記憶された情報を検索して、当該検索条件に基づく検索結果を当該情報処理装置５に送信する。
例えば、制御部４３は、運動用具の種別、商品名（又は品番）、製造番号（又はロット番号）を含む検索条件と、製造日時を要求する旨の要求内容とを含む要求情報が情報処理装置５から受信された場合には、当該検索条件に合致する運動用具の製造日時を当該情報処理装置５に送信する。また、制御部４３は、位置情報と、当該位置情報により示される位置の天候を要求する旨の要求内容とを含む要求情報が情報処理装置５から受信された場合には、当該検索結果に合致する天候を当該情報処理装置５に送信する。更に、制御部４３は、位置情報と、当該位置情報により示される位置の路面状態を要求する旨の要求情報が情報処理装置５から受信された場合には、当該検索結果に合致する路面状態を当該情報処理装置５に送信する。
【００５３】
［情報処理装置の構成］
図７は、情報処理装置５の構成を示すブロック図である。
情報処理装置５は、上記ユーザーによって利用される端末装置（コンピューター）であり、スマートフォン（多機能携帯電話機）、タブレット及びＰＣ（Personal Computer）等により構成可能である。本実施形態では、情報処理装置５として、上記運動用具の使用時にユーザーによって携帯可能なスマートフォンが採用されているが、タブレット等の他の携帯端末を採用してもよい。
このような情報処理装置５は、本発明の情報生成装置に相当し、ユーザーによって入力された情報（上記入力情報）と、検出装置２２及び測定装置３から受信された情報（上記検出情報）と、サーバー４から取得された情報（上記取得情報）とに基づいて、対象となる運動用具の劣化状態を推定し、当該劣化状態を示す劣化情報を生成する。そして、情報処理装置５は、生成された劣化情報をユーザーに報知（提示）する他、当該劣化情報に基づく報知情報を送信して、測定装置３に報知させる。
このような情報処理装置５は、図７に示すように、操作部５１、報知部５２、通信部５３、記憶部５４及び制御部５５を有し、これら各部５１〜５５は、バスラインＢＬを介して互いに電気的に接続されている。
【００５４】
［操作部及び報知部の構成］
操作部５１は、ユーザーによる入力操作を受け付け、当該入力操作に応じた操作信号を制御部５５に出力する。このような操作部５１は、例えば、情報処理装置５に設けられた物理キーやタッチパネル等により構成できる他、当該情報処理装置５に接続されるキーボード及びポインティングデバイス等により構成できる。
報知部５２は、制御部５５による制御の下、ユーザーに各種情報を報知する。この報知部５２は、表示部５２１、音声出力部５２２及び振動部５２３を有する。これら表示部５２１、音声出力部５２２及び振動部５２３は、上記表示部３４１、音声出力部３４２及び振動部３４３と同様であるので、説明を省略する。
【００５５】
［通信部の構成］
通信部５３は、検出装置２２、測定装置３及びサーバー４のそれぞれに応じた通信方式にて通信可能な通信モジュールを有する。例えば、通信部５３は、例えばＩＥＥＥ８０２．１５等の近距離無線通信規格に応じた通信方式により、比較的近くに存在する検出装置２２及び測定装置３と通信可能な通信モジュールと、例えばＩＥＥＥ８０２．１６やＬＴＥ（Long Term Evolution）等の通信規格に応じた通信方式により、上記ネットワークＮＷ上に位置するサーバー４と通信可能な通信モジュールと、を有する。
なお、通信部５３は、検出装置２２、測定装置３及びサーバー４と、同一の通信規格に応じた通信方式により通信可能なモジュールを有する構成としてもよい。
【００５６】
［記憶部の構成］
記憶部５４は、ＨＤＤ（Hard Disk Drive）、ＳＳＤ（Solid State Drive）及びフラッシュメモリー等により構成され、情報処理装置５の動作に必要な各種プログラム及びデータを記憶している。
例えば、記憶部５４は、上記データとして、通信部５３を介して検出装置２２、測定装置３及びサーバー４から受信された情報、並びに、操作部５１を用いて入力された情報を記憶する。
また、記憶部５４は、上記プログラムとして、例えばＯＳ（Operating System）や、運動用具２を管理するための劣化推定アプリケーション（本発明の情報生成プログラムを含むアプリケーションであり、用具管理アプリケーションということもできる）を記憶している。
更に、記憶部５４は、当該劣化推定アプリケーションの実行時に用いられ、運動用具２の劣化度を算出するための使用時基準劣化関数及び複数の保管時劣化関数を記憶している。これら関数は、サーバー４から運動用具２の種別等に基づいて取得されるが、予め記憶されていてもよい。
【００５７】
［制御部の構成］
図８は、制御部５５の構成を示すブロック図である。
制御部５５は、ＣＰＵ（Central Processing Unit）等の演算処理回路を含み、記憶部５４に記憶されたＯＳを実行して、情報処理装置５の動作を自律的に、或いは、操作部５１から入力される操作信号に応じて制御する。また、制御部５５は、上記劣化推定アプリケーションを実行して、上記入力情報をユーザーに入力させる各種入力画面を表示部５２１に表示させ、当該入力情報を取得及び記憶する他、上記検出装置２２、測定装置３及びサーバー４から受信される情報に基づいて、登録された運動用具の劣化状態を示す劣化情報を生成する劣化情報生成処理を実行する。
このような制御部５５は、図３に示すように、ＯＳ実行部５５Ａ及びアプリケーション実行部５５Ｂを備える。
【００５８】
［ＯＳ実行部の構成］
ＯＳ実行部５５Ａは、記憶部５４に記憶されたＯＳを上記ＣＰＵが実行することによって機能する計時部５５１、報知制御部５５２及び通信制御部５５３を含む。
計時部５５１は、現在日時を計時する。
報知制御部５５２は、図示を省略するが、表示制御部及び音声出力制御部を有する。表示制御部は、ＯＳの実行時画面の画像を表示部５２１に表示させる他、各種アプリケーションの実行時画面をアプリケーション実行部５５Ｂから取得して、当該画面を表示部５２１に表示させる。音声出力制御部は、ＯＳや各種アプリケーションの実行時に生成された音声信号を出力して、当該音声信号に応じた音声を上記音声出力部５２２に出力させる。
通信制御部５５３は、通信部５３による外部機器との通信を制御する。
【００５９】
［アプリケーション実行部の構成］
アプリケーション実行部５５Ｂは、記憶部５４に記憶されたアプリケーションのうち、操作部５１から入力される操作信号に応じてＯＳ実行部５５Ａにより指定されたアプリケーションを実行する。このアプリケーション実行部５５Ｂは、例えば上記劣化推定アプリケーションが実行されることによって機能する画面生成部５５４、情報取得部５５５、劣化度算出部５５６、判定部５５７、劣化情報生成部５５８、メンテナンス報知部５５９及び情報送信部５６０を有する。
【００６０】
［画面生成部の構成］
画面生成部５５４は、劣化推定アプリケーションの実行時画面を生成して、当該実行時画面を、上記表示制御部を介して表示部５２１に表示させる。このような実行時画面は、上記入力情報を入力させる入力画面と、後述する劣化情報生成部５５８によって生成された劣化情報を含む劣化状態画面Ｄ１〜Ｄ３（図１５〜図１７参照）等の提示画面と、を含む。
これらのうち、提示画面については、後に詳述する。
また、入力画面は、個人情報登録画面Ｒ１（図９）、用具情報登録画面Ｒ２（図１０）及び使用時情報登録画面Ｒ３（図１１）を含む。
【００６１】
［個人情報登録画面の構成］
図９は、個人情報登録画面Ｒ１の一例を示す図である。
個人情報登録画面Ｒ１は、図９に一例が示されるように、上記入力情報のうち、使用情報に含まれる個人情報を登録する画面である。
この個人情報登録画面Ｒ１には、氏名、身長、体重、生年月日をそれぞれ入力可能な入力欄Ｒ１１〜Ｒ１４と、性別、利き側、筋力レベル及び体型をそれぞれ選択可能な選択欄Ｒ１５〜Ｒ１８と、登録ボタンＲＢ及びキャンセルボタンＣＢと、が設定されている。
【００６２】
［用具情報登録画面の構成］
図１０は、用具情報登録画面Ｒ２の一例を示す図である。
用具情報登録画面Ｒ２は、図１０に一例が示されるように、上記入力情報のうち、劣化情報の生成対象である運動用具（例えば運動用具２）に関する上記用具情報と、上記保管情報に含まれる経過時間を算出する際に利用される運動用具の購入日時と、を登録する画面である。
この用具情報登録画面Ｒ２には、用具種別及びメーカーをそれぞれ選択可能な選択欄Ｒ２１，Ｒ２２と、品名、品番、製造番号、ロット番号及び購入日時をそれぞれ入力可能な入力欄Ｒ２３〜Ｒ２７と、運動用具の保管場所を選択可能な選択欄Ｒ２８と、登録ボタンＲＢ及びキャンセルボタンＣＢと、が設定されている。
これらのうち、選択欄Ｒ２２，Ｒ２８におけるメーカー及び保管場所の選択肢は、選択欄Ｒ２１における用具種別の選択内容に応じて変更される。例えば、選択欄Ｒ２１にて「登山靴」が選択された場合には、選択欄Ｒ２２の選択肢は、「登山靴」を製造するメーカーとなり、選択欄Ｒ２８の選択肢は、「登山靴」を保管可能な場所が設定される。
【００６３】
［使用時情報登録画面］
図１１は、使用時情報登録画面Ｒ３の一例を示す図である。
使用時情報登録画面Ｒ３は、図１１に一例が示されるように、使用状況の登録対象となる運動用具と、上記入力情報のうち、使用時環境情報に含まれる使用期間の長さを算出する際に用いられる使用開始日時及び使用終了日時と、を登録する画面である。
この使用時情報登録画面Ｒ３には、当該運動用具を選択可能な選択欄Ｒ３１と、使用開始日時及び使用終了日時をそれぞれ入力可能な入力欄Ｒ３２，Ｒ３３と、登録ボタンＲＢ及びキャンセルボタンＣＢと、が設定されている。なお、選択欄Ｒ３１には、上記用具情報登録画面Ｒ２にて既に登録された運動用具を特定するための情報（例えば品名）が選択肢として設定される。
ここで、選択欄Ｒ３１にて選択された運動用具に関連する使用開始日時が既に登録されている場合には、当該使用開始日時が入力欄Ｒ３２に編集可能な状態で表示される。一方、当該運動用具に関連する使用終了日時が登録されている場合には、当該運動用具の使用が一旦終了したと判断される。このため、次回使用時に同じ運動用具が選択欄Ｒ３１にて選択された場合でも、使用開始日時は入力欄Ｒ３２に表示されず、入力欄Ｒ３２は、使用開始日時を新たに入力可能な状態となる。なお、使用が一旦終了したと判断された運動用具に関する使用開始日時及び使用終了日時は、他の入力画面にて編集可能である。
【００６４】
各登録画面Ｒ１〜Ｒ３において、登録ボタンＲＢが押下されると、それぞれの登録画面Ｒ１〜Ｒ３における各項目の情報が、情報取得部５５５により取得される。
一方、キャンセルボタンＣＢが押下されると、情報取得部５５５による情報の取得は行われず、各登録画面Ｒ１〜Ｒ３に遷移される前の表示画面に戻る。
なお、上記登録画面Ｒ１〜Ｒ３における各入力項目は、必ずしも必須入力項目でなくてもよく、当該登録画面Ｒ１〜Ｒ３は、一部の項目のみ入力及び選択可能に構成されていてもよい。すなわち、各登録画面Ｒ１〜Ｒ３における一部の項目は、無くてもよい。
【００６５】
［情報取得部の構成］
図８に示す情報取得部５５５は、各種情報を取得して、記憶部５４に記憶させる機能部である。
具体的に、情報取得部５５５は、表示された上記登録画面Ｒ１〜Ｒ３の登録ボタンＲＢが押下された際に、当該登録画面Ｒ１〜Ｒ３にて入力された各項目の情報を取得し、記憶部５４に記憶させる。
また、情報取得部５５５は、通信部５３を介して検出装置２２、測定装置３及びサーバー４から受信された情報を取得して、当該情報を記憶部５４に記憶させる。
例えば、情報取得部５５５は、上記用具情報登録画面Ｒ２にて、運動用具の種別、メーカー、品番と、製造番号又はロット番号とが登録された場合には、サーバー４と通信して、該当する運動用具の製造日時（或いは製造日付）を取得する。また、情報取得部５５５は、測定装置３から取得された位置情報により示される位置の天候や路面状態をサーバー４から取得する。
なお、検出装置２２は必ずしも計時部を有さないので、当該検出装置２２から受信される情報には、各種センサーによる検出日時が含まれない場合がある。このような場合には、情報取得部５５５は、検出装置２２からの情報の受信日時と、検出部２２１が有するセンサー２２１１〜２２１４のそれぞれのサンプリングレートとに基づいて検出日時を算出し、これらセンサー２２１１〜２２１４による検出結果と検出日時とを関連付けて記憶部５４に記憶させる。
【００６６】
［劣化度算出部の構成］
劣化度算出部５５６は、上記用具情報登録画面Ｒ２にて登録された運動用具の劣化状態を示す劣化度（累積劣化度）を算出する。具体的に、劣化度算出部５５６は、使用によって進む運動用具の劣化の度合いを示す使用時劣化度と、保管時の経年変化等によって進む運動用具の劣化の度合いを示す保管時劣化度と、をそれぞれ算出し、これら使用時劣化度及び保管時劣化度を製造日時又は購入日時からの経過時間に応じて加算して、運動用具の累積劣化度を算出する。
以下、使用時劣化度及び保管時劣化度の算出方法について、説明する。
【００６７】
［使用時劣化度の算出］
ユーザーにより使用される運動用具２が、靴である場合、当該運動用具の使用時劣化度は、使用時に靴に加わる荷重等の負荷や、使用時の環境要因による負荷によって決定される。例えば、上記のように、ユーザーの体重が大きい場合や、ユーザーの現在位置を示す位置情報の変化速度（移動速度）が大きい場合には、靴に加わる荷重は大きくなり、靴は劣化しやすくなる。また、使用時の天候が雨である場合には、例えば接着剤が劣化しやすくなり、靴本体である用具本体２１のソールが剥がれやすくなって、靴の劣化がより促進される。
【００６８】
このため、運動用具２の使用時劣化度を算出する際には、劣化度算出部５５６は、まず、情報取得部５５５によって検出装置２２、測定装置３及びサーバー４から取得された使用情報のうち、上記使用時情報登録画面Ｒ３にて登録された使用開始日時以降の使用情報を抽出する。そして、劣化度算出部５５６は、抽出された使用情報に含まれる各項目のうち、当該運動用具２の種別に適した少なくとも１つの項目（対象項目）の情報を取得する。
【００６９】
なお、使用時劣化度が算出される運動用具２の種別に応じた対象項目を先に選択し、上記使用開始日時以降の当該対象項目の情報を取得することとしてもよい。
また、対象項目の選択は、運動用具の種別だけでなく、更にメーカーや品番等に基づいて実施されてもよい。例えば、劣化情報の生成対象となる用具が登山靴である場合には、対象項目に生体情報が含まれるが、当該生成対象が上記体育用具である場合には、対象項目に生体情報が含まれないようにしてもよい。また、劣化情報の生成対象となる用具が登山靴である場合で、当該登山靴のメーカーが或るメーカーである場合には、対象項目に個人情報が含まれるが、他の或るメーカーである場合には対象項目に個人情報は含まれないようにしてもよい。すなわち、それぞれの種別の運動用具の使用時劣化度を算出する際に、上記使用情報に含まれる項目の全てが参照される必要は必ずしもない。
【００７０】
この後、劣化度算出部５５６は、それぞれの情報に基づいて、当該対象項目の情報を数値化する。この際、例えば、各項目の情報内容に応じた点数が設定されたテーブルが予め記憶部５４に記憶されていて、劣化度算出部５５６が、当該テーブルを参照して、対象項目の情報を数値化することとしてもよく、所定の計算式に基づいて対象項目の情報を数値化してもよい。
そして、劣化度算出部５５６は、対象項目の数値を、運動用具２の種別、品番、製造番号及びロット番号の少なくともいずれかに応じて選択される使用時基準劣化関数に代入して経過時間毎の使用時劣化度を算出する。すなわち、劣化度算出部５５６は、当該使用時基準劣化関数に、運動情報、個人情報、使用時環境情報及び生体情報に応じた数値を代入して使用時劣化度を算出する。
この際、ユーザーの運動用具２の使い方等のパラメーターに基づく補正値を使用時劣化度に乗算又は加算してもよい。
【００７１】
図１２は、ユーザーによりそれぞれ登録された使用開始日時から使用終了日時までの使用期間における使用時劣化度の変化の一例を示すグラフである。この図１２に示されるグラフは、当該ユーザーが、自宅を出発して登山をし、帰宅するまでの登山靴である運動用具２の使用時劣化度の時間変化を示している。なお、図１２において、ｔは時刻の推移を示し、Ｗは使用時劣化度を示す。
このような算出法により、図１２に示すように、使用時劣化度Ｗの時間変化を示す使用時劣化曲線のグラフが生成される。そして、劣化度算出部５５６は、当該使用時劣化曲線を積分して、ユーザーの今回の運動用具２の使用に伴う使用時劣化度を、使用期間において所定時間毎に算出し、算出された使用時劣化度を累積劣化度（消耗度）に加算する。これにより、上記使用開始日時以降の時間では、リアルタイムで使用時劣化度が算出され、当該使用時劣化度が累積劣化度に加算される。
なお、図１２において、時間ｔＡは、ユーザーが登山靴である運動用具２を履いたタイミングであり、時間ｔＡから時間ｔＢまでの期間は、ユーザーが自宅から登山道の入り口に至るまでの期間である。また、時間ｔＢは、登山開始のタイミングを示し、時間ｔＣは、ユーザーが休憩しているタイミングを示し、時間ｔＤは、ユーザーが帰宅したタイミングを示している。
【００７２】
［保管時劣化度の算出］
運動用具２は、使用してもしなくても、経年変化に伴って劣化する。例えば、登山靴であれば、使用しなくても接着剤が劣化する等してソール（靴底）が剥がれる場合がある。一方、経年変化は、使用後や所定のタイミングでのメンテナンスによって抑制できるが、メンテナンスを行わないと、使用時に進んだ劣化が継続して、経年変化が大きくなり、ひいては、運動用具２の劣化がより進行する。
このため、劣化度算出部５５６は、上記使用終了日時後で、次の使用開始日時までの間の運動用具２の保管時劣化度を算出して、当該保管時劣化度を逐次、上記累積劣化度に加算する。
具体的に、劣化度算出部５５６は、まず、情報取得部５５５によって検出装置２２から取得される情報や、ユーザーによって入力された情報から、上記使用時情報登録画面Ｒ３にて登録された直近の使用終了日時以降の保管情報を抽出する。そして、劣化度算出部５５６は、記憶部５４に記憶された複数の保管時劣化関数のうち、抽出された保管情報の内容に応じた保管時劣化関数を選択する。
【００７３】
図１３は、保管時劣化関数毎の劣化曲線を示すグラフである。なお、図１３において、ｔは時刻の推移を示し、Ｄは保管時劣化度を示す。
ここで、上記のように、保管時劣化関数は、記憶部５４に複数記憶されているが、図１３に示すように、保管時劣化関数ｇ０（ｔ）、ｇ１（ｔ）、ｇ２（ｔ）、…、ｇｎ（ｔ）、ｇｎ＋１（ｔ）、…の傾きはそれぞれ異なる。すなわち、どの保管時劣化関数を選択するかによって、当該保管時劣化関数に基づく保管時劣化度の劣化曲線が異なる。
このため、劣化度算出部５５６は、抽出された保管情報の内容に応じた保管時劣化関数を、当該保管情報の内容が変化する毎に選択する。
また、ユーザーが保管時の運動用具２に対して補修等のメンテナンスを実施し、当該メンテナンスの実施内容を、操作部５１を用いて入力した場合でも、劣化度算出部５５６は、当該メンテナンスの実施内容に応じた保管時劣化関数を選択する。例えば、実施されたメンテナンスの内容が運動用具２にとって適切な内容であれば、劣化度算出部５５６は、現在採用されている保管時劣化関数より傾きが小さい保管時劣化関数を選択する。一方、実施されたメンテナンスの内容が適切な内容でない場合には、劣化度算出部５５６は、現在採用されている保管時劣化関数より傾きが大きい保管時劣化関数を選択する場合もある。このような場合として、例えば、ユーザーが運動用具２に付着した汚れを落とすための溶剤を適量より多く使用してしまい、当該運動用具２においてソールを接着している接着剤を溶かしてしまった場合が挙げられる。このような情報は、ユーザーにより入力された内容に基づいて判断される。
【００７４】
図１４は、累積劣化度の時間変化を示すグラフである。なお、図１４においてＡは、累積劣化度を示す。
そして、劣化度算出部５５６は、選択された保管時劣化関数に、製造日時からの経過時間、又は、購入日時からの経過時間（例えば製造日時が取得できなかった場合）を代入して保管時劣化度を算出する。
この後、劣化度算出部５５６は、算出された保管時劣化度を上記累積劣化度に逐次加算して、当該累積劣化度を更新する。
このような劣化度算出部５５６による保管時劣化度の算出が所定時間毎に実施されることにより、図１４に示すように、累積劣化度Ａは時間ｔの経過とともに増加する。
【００７５】
なお、本実施形態では、運動用具の使用終了日時は、ユーザーが上記使用時情報登録画面Ｒ３において登録する。このため、ユーザーの登録し忘れによって、実際は運動用具２の使用が終了しているにも関わらず、保管時劣化度ではなく使用時劣化度が累積劣化度に加算される可能性がある。このような場合、劣化度算出部５５６は、ユーザーにより新たに登録された使用時終了日時と現在日時とを比較し、使用開始日時から使用終了日時まで使用時劣化度と、使用終了日時から現在日時までの保管時劣化度とを再計算し、再計算された使用時劣化度及び保管時劣化度を使用開始日時での累積劣化度に加算して、当該累積劣化度を修正する。
以上の算出方法により、使用時劣化度、保管時劣化度及び累積劣化度が算出される。
【００７６】
［判定部の構成］
図８に示す判定部５５７は、各種判定処理を実施する。
具体的に、判定部５５７は、累積劣化度が所定の閾値を超えたか否かを判定する。具体的に、判定部５５７は、累積劣化度が、図１４に示す注意レベルの閾値Ａ１を超えているか否か、警告レベルの閾値Ａ２を超えているか否か、及び、使用中止レベルの閾値Ａ３を超えているか否かを判定する。なお、これら３つの閾値Ａ１〜Ａ３のうち、注意レベルの閾値Ａ１が最も低く、使用中止レベルの閾値Ａ３が最も高い値である。
また、判定部５５７は、前回の使用終了日時又はメンテナンスの実施日時からの経過時間が所定時間を超えたか否かを判定する。
【００７７】
［劣化情報生成部の構成］
劣化情報生成部５５８は、本発明の情報生成部に相当する。この劣化情報生成部５５８は、ユーザーにより、現在の運動用具２の劣化状態を示す劣化情報を要求する入力操作が行われた場合（当該入力操作に応じた操作信号が操作部５１から入力された場合）や、上記判定部５５７によって累積劣化度が閾値Ａ１〜Ａ３のいずれかを超えたと判定された場合、及び、当該判定部５５７によって上記経過時間が所定時間を超えたと判定された場合に、当該劣化情報を生成する。
例えば、劣化情報生成部５５８は、以下に示す劣化状態画面Ｄ（Ｄ１〜Ｄ３）（図１５〜図１７）に含まれる劣化情報を生成する。これら劣化状態画面Ｄは、上記画面生成部５５４により生成されて、上記報知制御部５５２（表示制御部）により表示部５２１に表示される。
【００７８】
［劣化状態画面の構成］
図１５は、注意レベルの劣化状態画面Ｄ１の一例を示す図であり、図１６は、警告レベルの劣化状態画面Ｄ２の一例を示す図であり、図１７は、使用中止レベルの劣化状態画面Ｄ３の一例を示す図である。
運動用具２の劣化状態が注意レベルである場合の劣化状態画面Ｄ１は、上記累積劣化度が閾値Ａ１を超えたタイミング（例えば図１４に示すタイミングｔ１）にて生成される。運動用具２の劣化状態が警告レベルである場合の劣化状態画面Ｄ２は、上記累積劣化度が閾値Ａ２を超えたタイミング（例えば図１４に示すタイミングｔ２）にて生成される。更に、運動用具２の劣化状態が使用中止レベルである場合の劣化状態画面Ｄ３は、上記累積劣化度が閾値Ａ３を超えたタイミング（例えば図１４に示すタイミングｔ３）、具体的には、運動用具２が使用限界に達したと判定されるタイミングにて生成される。これら劣化状態画面Ｄ１〜Ｄ３には、図１５〜図１７のそれぞれに一例が示されるように、運動用具２の劣化状態を示す画像ＰＴ及びメーターＭＴと、当該劣化状態及び対処法を示すメッセージＭＳが設定される。
【００７９】
画像ＰＴは、算出された累積劣化度に応じて、記憶部５４に予め記憶された画像から劣化情報生成部５５８により選択される。
メーターＭＴによって示される割合は、同じく累積劣化度に応じて、劣化情報生成部５５８により設定される。なお、当該割合は、新品での運動用具２の劣化状態を１００％とし、寿命に達した場合の運動用具の劣化状態を０％とした場合に、現在の累積劣化度に応じた割合である。
メッセージＭＳは、累積劣化度に応じて劣化情報生成部５５８により生成される。なお、当該メッセージＭＳは、運動用具２の種別及び品番と、製造番号又はロット番号と、累積劣化度と関連付けて記憶部５４に記憶され、劣化情報生成部５５８が、これらに基づいて当該記憶部５４から取得する構成としてもよい。
【００８０】
このような劣化状態画面Ｄ１〜Ｄ３が表示部５２１に表示されることにより、ユーザーは、運動用具２の状態及び対処法を確認できる。なお、これら劣化状態画面Ｄ１〜Ｄ３は、表示部５２１に表示されるだけでなく、音声出力部５２２によって音声によって出力されてもよく、振動部５２３によって生じる振動にて報知されてもよい。
【００８１】
ここで、使用中止レベルの劣化状態画面Ｄ３が表示される場合、すなわち、累積劣化度が使用中止レベルの閾値Ａ３を超えている場合には、ユーザーは運動用具２の使用を直ちに中止すべき状態にある。本実施形態では、運動用具２は登山靴であるので、ユーザーが登山中である場合には、当該運動用具２を使いつつ登山を継続すると、ユーザーが危険的状態に陥ることも考えられる。このため、累積劣化度が使用中止レベルの閾値Ａ３を超えている場合には、劣化情報生成部５５８は、劣化状態画面Ｄ３に含めるメッセージＭＳとして運動用具２の使用の変更、すなわち、登山計画の変更を促すメッセージを生成する。更に、劣化情報生成部５５８は、画像ＰＴとして、禁止マークが入った画像を選択する。
このようなメッセージＭＳ及び画像ＰＴが、劣化情報としての劣化状態画面Ｄ３に含まれることにより、ユーザーに迅速な対処を促すことができる。
【００８２】
［メンテナンス報知部の構成］
メンテナンス報知部５５９は、上記判定部５５７によって前回の使用終了日時又はメンテナンスの実施日時からの経過時間が所定時間を超えたと判定された場合に機能する。このメンテナンス報知部５５９は、ユーザーに運動用具２のメンテナンスを促すメンテナンス要求画面を生成する。このメンテナンス要求画面は、上記用具情報に含まれるメンテナンス対象の運動用具２の種別、品名及び品番等が含まれ、上記劣化状態画面Ｄと同様に、報知制御部によって表示部５２１に表示される。
なお、メンテナンス報知部５５９は、当該メンテナンス要求画面を生成した後、上記経過時間をリセットしてもよく、ユーザーによってメンテナンスを実施した旨の入力操作が行われた場合に、当該経過時間をリセットしてもよい。前者の場合、メンテナンス要求画面は、上記所定期間の間で一度だけ表示されることとなり、後者の場合は、当該入力操作が行われるまで、何度もメンテナンス要求画面が表示されることとなる。
【００８３】
［情報送信部の構成］
情報送信部５６０は、検出装置２２、測定装置３及びサーバー４に通信部５３を介して各種情報を送信する。例えば、情報送信部５６０は、劣化情報を含む上記劣化状態画面Ｄの構成内容（画像ＰＴ、メーターＭＴ及びメッセージＭＳの少なくともいずれか）やメンテナンスを促す画面の構成内容を測定装置３に送信する。これにより、ユーザーに装着され、情報処理装置５に比べて比較的表示内容を確認しやすい測定装置３においても、上記劣化状態画面Ｄに含まれる画像ＰＴ、メーターＭＴ及びメッセージＭＳの少なくともいずれかや、メンテナンスを実施すべき旨の内容を確認できる。
【００８４】
［劣化情報生成処理の内容］
図１８は、情報処理装置５（制御部５５）により実行される劣化情報生成処理を示すフローチャートである。
上記のように、制御部５５のアプリケーション実行部５５Ｂは、記憶部５４に記憶された劣化推定アプリケーションを実行して、運動用具２に関する使用情報及び保管情報に基づいて、推定される当該運動用具２の劣化状態を示す劣化情報を生成及び報知する劣化情報生成処理を実行する。この劣化情報生成処理は、本発明の情報生成方法及び情報生成プログラムのステップを含む処理である。
この劣化情報生成処理では、図１８に示すように、まず、情報取得部５５５が、検出装置２２、測定装置３及びサーバー４から受信される情報、及び、上記登録画面Ｒ１〜Ｒ３に対して入力された情報により構成される、運動用具２の使用情報及び保管情報を取得する（情報取得ステップＳ０１）。
【００８５】
この後、劣化度算出部５５６は、現在日時が使用期間に入っているか否かを判定する（ステップＳ０２）。
現在日時が使用期間に入っていると判定された場合（ステップＳ０２：Ｙｅｓ）、劣化度算出部５５６は、使用開始日時以降の使用情報に基づいて使用時劣化度を算出する（ステップＳ０３）。
現在日時が使用期間に入っていないと判定された場合（ステップＳ０２：Ｎｏ）、劣化度算出部５５６は、使用終了日時以降の保管情報に基づいて保管時劣化度を算出する（ステップＳ０４）。
これらステップＳ０３，Ｓ０４の後、劣化度算出部５５６は、累積劣化度を算出する（ステップＳ０５）。
【００８６】
次に、判定部５５７が、累積劣化度が上記閾値Ａ１を超えたか否かを判定する（ステップＳ０６）。
累積劣化度が閾値Ａ１を超えていないと判定された場合（ステップＳ０６：Ｎｏ）、制御部５５は、処理をステップＳ０１に戻す。
累積劣化度が閾値Ａ１を超えたと判定された場合（ステップＳ０６：Ｙｅｓ）、判定部５５７は、累積劣化度が上記閾値Ａ２を超えたか否かを判定する（ステップＳ０７）。
累積劣化度が閾値Ａ２を超えていないと判定された場合（ステップＳ０７：Ｎｏ）、劣化情報生成部５５８が、劣化情報を生成し、画面生成部５５４が、当該劣化情報を含む注意レベルの劣化状態画面Ｄ（Ｄ１）を生成する（情報生成ステップＳ０８）。この後、制御部５５は、処理をステップＳ１２に移行する。
累積劣化度が閾値Ａ２を超えたと判定された場合（ステップＳ０７：Ｙｅｓ）、判定部５５７は、累積劣化度が上記閾値Ａ３を超えたか否かを判定する（ステップＳ０９）。
【００８７】
累積劣化度が閾値Ａ３を超えていないと判定された場合（ステップＳ０９：Ｎｏ）、劣化情報生成部５５８が、劣化情報を生成し、画面生成部５５４が、当該劣化情報を含む警告レベルの劣化状態画面Ｄ（Ｄ２）を生成する（情報生成ステップＳ１０）。この後、制御部５５は、処理をステップＳ１２に移行する。
累積劣化度が閾値Ａ３を超えたと判定された場合（ステップＳ０９：Ｙｅｓ）、劣化情報生成部５５８が、劣化情報を生成し、画面生成部５５４が、当該劣化情報を含む使用中止レベルの劣化状態画面Ｄ（Ｄ３）を生成する（情報生成ステップＳ１１）。この後、制御部５５は、処理をステップＳ１２に移行する。
【００８８】
ステップＳ１２では、報知制御部５５２が、生成された劣化状態画面Ｄを報知部５２により報知させるとともに、情報送信部５６０が、当該劣化状態画面Ｄに含まれる内容（劣化情報の少なくとも一部）を、通信部５３を介して測定装置３に送信する。この後、制御部５５は、処理をステップＳ０１に戻す。
このように、劣化情報生成処理は、繰り返し実行され、上記使用期間内であれば使用時劣化度が累積劣化度に所定時間毎に加算され、当該使用期間外であれば保管時劣化度が所定時間毎に累積劣化度に加算される。そして、当該累積劣化度が閾値Ａ１〜Ａ３のいずれかを超えたタイミング、或いは、ユーザーによって劣化情報を報知させる入力操作が行われたタイミングで、運動用具の劣化状態を示す劣化情報が生成され、報知部５２によって報知される。
【００８９】
［実施形態の効果］
以上説明した本実施形態に係る劣化情報生成システム１によれば、以下の効果がある。
ユーザーにより使用される運動用具２の劣化状態を示す劣化情報は、当該運動用具２の使用状況を示す使用情報だけでなく、当該運動用具２の保管状況を示す保管情報を用いて、劣化情報生成部５５８により生成される。これによれば、保管状況に応じて劣化度が変化する経年劣化を踏まえた、劣化情報を生成できる。従って、運動用具２の劣化状態を精度よく推定できるので、運動用具２の劣化状態をより正確に示すことが可能な劣化情報を生成できる。そして、当該劣化情報を確認することにより、正確な運動用具２の劣化状態や消耗度をユーザーが把握できる。
【００９０】
ここで、用具の保管時に発生する経年変化による劣化は、使用時にかかる負荷によって用具に発生する劣化とは異なる。
これに対し、劣化度算出部５５６は、保管情報に基づく運動用具２の保管期間（使用期間外の期間）における劣化度である保管時劣化度と、使用情報に基づく運動用具２の使用期間における劣化度である使用時劣化度とを用いて、上記劣化情報を生成する。これによれば、当該劣化情報により示される劣化状態の精度を高めることができる。従って、より正確な劣化情報を生成できる。
【００９１】
運動用具２の使用時の劣化状態は、当該用具を用いたユーザーの運動状態（使用状況）、体重や筋力等のユーザーの身体の性質、使用環境、及び、発汗量や体温等のユーザーの生体情報によっても変化する。このため、上記運動情報、上記個人情報、上記使用時環境情報及び上記生体情報が、使用時劣化度を算出する際に用いられる使用情報に含まれることにより、運動用具２の使用時の劣化状態をより正確に把握でき、使用時劣化度をより正確に算出できる。従って、より正確な劣化情報を生成できる。
【００９２】
運動用具２の保管時の劣化状態は、上記のように、当該運動用具２の保管場所や、当該保管場所での運動用具２の紫外線被ばく量及び紫外線被ばく時間の他、当該保管場所の温度及び湿度によっても変化する。更に、運動用具２の劣化状態は、当該運動用具２の製造時からの経過時間、及び、購入時からの経過時間によって異なる。
これに対し、保管時劣化度を算出する際に参照される保管情報は、保管場所、当該保管場所での運動用具２の紫外線被ばく量及び紫外線被ばく時間、並びに、当該保管場所の温度、温度差及び湿度を含む他、運動用具２の製造日時又は購入日時からの経過時間を含む。これによれば、保管時の運動用具２の劣化状態をより正確に把握でき、より正確な保管時劣化度、ひいては、より正確な劣化情報を生成できる。
【００９３】
情報生成装置として機能する情報処理装置５は、劣化情報を報知する報知部５２を備える。これによれば、ユーザーが劣化情報を把握可能となるので、必要に応じて運動用具２に対してユーザーがメンテナンスを実施することにより、当該運動用具２の寿命を延ばすことができる。また、現在所持している用具の劣化状態に応じて運動用具２を買い替えることができるので、使用しようとした運動用具２が劣化していて使用できないという状況を回避できる。
【００９４】
報知部５２は、表示部５２１、音声出力部５２２及び振動部５２３を有し、劣化情報は、表示部５２１により劣化状態画面Ｄとして表示される他、音声出力部５２２及び振動部５２３によっても報知可能である。そして、このような報知部５２によって、劣化情報は、画像、音及び振動の少なくともいずれかによって報知される。これによれば、報知される劣化情報の内容をユーザーが把握しやすくすることができる。
【００９５】
劣化情報は、劣化状態画面Ｄに含めてユーザーに報知される。これによれば、ユーザーに提示される情報量を多くすることができるので、短時間で多くの劣化情報をユーザーに提示できる。
【００９６】
劣化状態画面Ｄは、運動用具２の劣化状態を示す画像ＰＴと、グラフであるメーターＭＴと、メッセージＭＳを含む。これによれば、ユーザーが視覚的に運動用具２の劣化状態を迅速に把握できる他、対処法等の詳しい説明を把握できる。従って、情報生成装置としての情報処理装置５の利便性を向上させることができる。
【００９７】
劣化状態画面Ｄ１〜Ｄ３は、累積劣化度が上記閾値Ａ１〜Ａ３を超え、運動用具２の劣化状態が注意レベル、警告レベル及び使用中止レベルとなった場合に報知される。これによれば、劣化情報が頻繁に報知されることを抑制できる。この他、ユーザーに注意を喚起したい場合に劣化情報が報知されることにより、当該劣化情報にユーザーの注意を向けさせることができる。従って、ユーザーが運動用具２の劣化状態を把握しやすくすることができる。更に、運動用具２の劣化状態が使用中止レベルとなった場合に劣化情報が報知されるので、当該運動用具２の使用を中止させて、ユーザーが被る可能性がある危機や負荷を回避させることができる。
【００９８】
運動用具２の劣化状態が使用限界に達したと判定される状態のときに表示される劣化状態画面Ｄ３には、運動用具２の使用の変更を促すメッセージが含まれる。これによれば、当該メッセージを確認したユーザーが運動用具２を使用しないで済むように予定を変更することにより、当該ユーザーが被る可能性のある負荷を軽減させることも可能となる。そして、このような構成により、情報生成装置として機能する情報処理装置５の利便性を向上させることができる。
【００９９】
運動用具２の使用終了日時、又は、最後にメンテナンスを実行してから所定時間が経過した場合には、メンテナンス報知部５５９により、メンテナンス要求画面が生成され、当該メンテナンス要求画面は、表示部５２１に表示される。これによれば、ユーザーに運動用具２のメンテナンスを実施する契機を与えることができるので、情報処理装置５の利便性を更に向上させることができる。この他、実際にメンテナンスが実施されれば、運動用具２の寿命を延ばすことができる。
【０１００】
［実施形態の変形］
本発明は、上記実施形態に限定されるものではなく、本発明の目的を達成できる範囲での変形、改良等は本発明に含まれるものである。
上記実施形態では、使用情報に基づく運動用具２の使用時劣化度及び保管情報に基づく運動用具２の保管時劣化度を算出して、累積劣化度を算出する劣化度算出部５５６と、各種判定処理を実行する判定部５５７と、累積劣化度に基づく運動用具２の劣化情報を生成する劣化情報生成部５５８は、スマートフォン等により構成される情報処理装置５が有するとした。換言すると、上記劣化情報生成処理は、情報処理装置５が実行するとした。しかしながら、本発明はこれに限らない。例えば、当該劣化情報生成処理は、検出装置２２、測定装置３及びサーバー４が実行してもよい。この場合には、用具情報、使用情報及び保管情報を取得し、上記劣化情報を生成可能な構成を当該装置が有していればよい。また、生成された劣化情報は、当該劣化情報を生成した装置にて表示しなくてもよく、例えば、サーバー４にて劣化情報が生成される場合には、劣化情報を取得した情報処理装置５が当該劣化情報を報知してもよく、当該情報処理装置５と通信可能な検出装置２２及び測定装置３が、劣化情報を取得して報知してもよい。これらの場合、劣化情報生成処理を実行する装置が、本発明の情報生成装置となる。
【０１０１】
なお、サーバー４の制御部４３が情報処理装置５の制御部５５の機能を実施する場合、サーバー４は、より多くの情報を取得及び収集しやすいことから、このような場合には、当該サーバー４により取得可能な多くの情報を用いて劣化情報を生成できる。これにより、運動用具の状態をより適切に判断できる。
また、測定装置３の制御部３７が情報処理装置５の制御部５５の機能を実施する場合で、かつ、利用者の皮膚と接触するような運動用具の劣化情報を生成する場合には、当該測定装置３によって生体情報や体動情報の検出信号そのものを利用できるため、より詳細な生体情報及び体動情報の解析が可能となり、より適切な劣化情報を生成できる。
更に、検出装置２２の制御部２２４が情報処理装置５の制御部５５の機能を実施する場合、運動用具２自身で劣化情報を生成できるため、特に固定して設置されている運動用具の劣化情報を把握可能な構成とする場合に、必要最小限の設備投資で管理体制を構築できる。
【０１０２】
上記実施形態では、劣化情報は、使用時劣化度及び保管時劣化度を加算した累積劣化度に基づいて生成されるとした。しかしながら、本発明はこれに限らない。すなわち、劣化情報が、運動用具２の使用状況を示す使用情報、及び、保管状況を示す保管情報を用いて生成されれば、当該劣化情報の生成方法は問わない。
また、累積劣化度は、使用時劣化度及び保管時劣化度が加算された劣化度であるとした。しかしながら、これに限らず、累積劣化度は、所定値から使用時劣化度及び保管時劣化度が加算又は減算された劣化度としてもよい。
【０１０３】
上記実施形態では、劣化情報は、情報処理装置５が有する報知部５２を構成する表示部５２１、音声出力部５２２及び振動部５２３によって報知されるとした。しかしながら、本発明はこれに限らない。例えば、報知部５２は、表示部５２１、音声出力部５２２及び振動部５２３の少なくとも１つを備える構成としてもよい。また、複数のＬＥＤ等により構成されるゲージを点灯又は点滅させることによって、運動用具２の劣化状態を報知してもよい。すなわち、劣化状態の報知態様は、上記に限らない。
【０１０４】
上記実施形態では、劣化状態画面Ｄ（Ｄ１〜Ｄ３）には、運動用具２の劣化状態を示す画像ＰＴ、メーターＭＴ及びメッセージＭＳが含まれるとした。しかしながら、本発明はこれに限らない。すなわち、これら画像ＰＴ、メーターＭＴ及びメッセージＭＳのうち、いずれかのみが含まれる劣化状態画面であってもよい。
【０１０５】
上記実施形態では、運動用具２は、用具本体２１に取り付けられ、保管情報に含められる情報を検出可能な検出装置２２を有するとした。しかしながら、本発明はこれに限らない。例えば、検出装置２２はなくてもよく、また、検出装置２２は、用具本体２１とは別体として保管場所に配置されていてもよい。なお、検出装置２２がマイクを有し、当該マイクによる検出結果に基づいて、ユーザーが使用するために運動用具２を保管場所から取り出したことを検出してもよい。一方、検出装置２２は、粘着シート等によって用具本体２１に着脱可能に設けられる構成に限らず、用具本体２１に埋め込まれる等して、用具本体２１と一体化されていてもよい。これにより、用具本体２１において測定に適した位置に検出装置２２を位置させることができる。
更に、保管情報にそれぞれ含まれる、保管場所での運動用具２の紫外線被ばく量、紫外線被ばく時間や、保管場所の温度、温度差及び湿度に代えて、使用時の運動用具２の紫外線被ばく量、紫外線被ばく時間や、保管場所の温度、温度差及び湿度を採用してもよい。これらの情報も保管時における運動用具の経年劣化に影響するためである。
【０１０６】
上記実施形態では、運動用具２が使用限界に達したと判定される場合に表示される劣化状態画面Ｄ３には、当該運動用具２の劣化状態を示す画像ＰＴ、メーターＭＴ及びメッセージＭＳが含まれるとした。そして、当該メッセージＭＳには、当該運動用具２の使用の変更を促す内容が含まれるとした。しかしながら、本発明はこれに限らない。すなわち、使用の変更を促す内容は、なくてもよい。一方、劣化度情報に基づいて使用限界に達したと判定される運動用具２の類似の商品や、お勧めの商品に関する情報等を、当該劣化状態画面に含めてもよい。これらの情報は、サーバー４又は他の外部機器から取得してもよい。また、使用限界に達していない場合でも、運動用具２の使用情報や保管情報を用いて判定された運動用具の状態情報に基づいて、運動用具２の類似の商品や、お勧めの商品に関する情報等を制御部５５が生成してもよい。このように構成することにより、使用情報や管理情報を用いて生成されたメンテナンス情報及び商品情報を利用者に提供できるので、ユーザーにとって必要な時期に代替製品に関する情報を当該ユーザーに提供できる。
【０１０７】
上記実施形態では、前回の使用終了日時からの経過時間、又は、前回メンテナンスを実施した日時からの経過時間が所定時間に達した場合に、上記メンテナンス要求画面が表示されるとした。しかしながら、本発明はこれに限らない。運動用具の劣化状態が顕著であると判断される場合（例えば使用情報や保管情報に基づいて、使用時劣化度又は保管時劣化度が急激に上昇したと制御部５５が判定した場合）や、直近の使用時における運動用具２の使用状況（ユーザーによる使用状態や環境等）が所定の条件を満たす場合等にも、メンテナンス情報を生成し、当該メンテナンス情報に基づいてメンテナンス要求画面が報知部５２，３４によって報知されるように構成してもよい。また、メンテナンスを促す情報は、画面に限らず音声及び振動等によって報知されてもよい。このように構成することにより、使用情報や保管情報を用いて生成されたメンテナンス情報が利用者に提供されるので、必要な時期にメンテナンスを実施することができ、メンテナンスのし過ぎや、メンテナンス不足を抑制できる。
【０１０８】
上記実施形態では、本発明の用具として、ユーザーに使用される運動用具を挙げた。しかしながら、本発明はこれに限らない。例えば、本発明の用具は、ユーザーの運動とともに利用される用具でなくてもよく、経年劣化を考慮する必要があるもの、例えば消耗品であってもよい。
なお、このような用具の劣化情報が生成される際に用いられる使用情報は、運動情報、個人情報、使用時環境情報及び生体情報の全てを含むものでなくてもよい。また、これら運動情報、個人情報、使用時環境情報及び生体情報は、それぞれ上記された項目の全てを含む情報でなくてもよい。すなわち、使用時劣化度を算出可能であれば、使用情報は、これら運動情報、個人情報、使用時環境情報及び生体情報のうち少なくともいずれかを含む情報であってもよく、これらに代えて、或いは、加えて、他の内容の情報を含む情報であってもよい。更に、運動情報、個人情報、使用時環境情報及び生体情報は、上記した項目を必ずしも含む情報でなくてもよく、運動情報、個人情報、使用時環境情報及び生体情報の説明にて例示した項目のうち少なくともいずれか、或いは、他の項目を含む情報であってもよい。同様に、劣化情報が生成される際に用いられる保管情報は、保管時劣化度を算出可能であれば、上記した項目を必ずしも含む情報でなくてもよく、他の内容を含む情報であってもよい。
更に、上記したように、用具の劣化状態を示す劣化情報を生成可能であれば、使用時劣化度及び保管時劣化度に基づく累積劣化度（消耗度）を算出する構成に限らず、使用時の用具の劣化状態を示す使用情報、及び、保管時の用具の劣化状態を示す保管情報を用いて、用具の総合的な劣化状態を示す劣化情報を生成可能であれば、当該劣化情報の生成方法は問わない。
【０１０９】
上記実施形態では、情報処理装置５は、運動用具２の検出装置２２及び測定装置３と通信し、これら検出装置２２及び測定装置３から取得した情報を、ネットワークＮＷを介してサーバー４に送信する構成とした。しかしながら、本発明はこれに限らない。例えば、検出装置２２、測定装置３、サーバー４及び情報処理装置５のそれぞれが、相互に通信可能に構成されていてもよい。例えば、検出装置２２及び測定装置３の少なくとも一方が、ネットワークＮＷを介する等してサーバー４と直接通信可能に構成され、取得した情報をサーバー４に送信する構成としてもよい。この場合、上記劣化情報生成処理を実行する装置が、サーバー４から必要な情報を取得するように構成してもよい。
【０１１０】
上記実施形態では、制御部５５を構成する演算処理装置は、記憶部５４に記憶された劣化推定アプリケーション（本発明の情報生成プログラムを含む）を読み取って実行することとした。しかしながら、本発明はこれに限らない。例えば、上記劣化情報生成処理の実行時に、記録媒体から当該情報生成プログラムを読み取って実行する構成としてもよい。例えば、このような記録媒体としては、磁気テープ、磁気ディスク、光ディスク、光磁気ディスク、ＨＤＤ、並びに、半導体メモリー等を用いることができ、これらを利用して、当該情報生成プログラムを情報処理装置５にてインストール及び実行することができるほか、当該情報生成プログラムの配布を容易に行うことができる。更に、当該情報生成プログラムをネットワーク上の機器（例えばサーバー４）から取得して実行してもよい。
【符号の説明】
【０１１１】
１…劣化情報生成システム、２２…検出装置、３…測定装置（検出装置）、５…情報処理装置（劣化情報生成装置）、５２…報知部、５２１…表示部、５２２…音声出力部、５２３…振動部、５５１…計時部、５５２…報知制御部、５５３…通信制御部、５５４…画面生成部、５５５…情報取得部、５５６…劣化度算出部、５５７…判定部、５５８…劣化情報生成部（情報生成部）、５５９…メンテナンス報知部、５６０…情報送信部、５５Ａ…ＯＳ実行部、５５Ｂ…アプリケーション実行部、Ｓ０１…情報取得ステップ、Ｓ０８，Ｓ１０，Ｓ１１…劣化情報生成ステップ。
【図１】
2017093652.tif 000003
【図２】
2017093652.tif 000004
【図３】
2017093652.tif 000005
【図４】
2017093652.tif 000006
【図５】
2017093652.tif 000007
【図６】
2017093652.tif 000008
【図７】
2017093652.tif 000009
【図８】
2017093652.tif 000010
【図９】
2017093652.tif 000011
【図１０】
2017093652.tif 000012
【図１１】
2017093652.tif 000013
【図１２】
2017093652.tif 000014
【図１３】
2017093652.tif 000015
【図１４】
2017093652.tif 000016
【図１５】
2017093652.tif 000017
【図１６】
2017093652.tif 000018
【図１７】
2017093652.tif 000019
【図１８】
2017093652.tif 000020